(57)【要約】【課題】原稿（３）の幅方向寸法に拘らずその片側縁を幅方向所定位置に規制して原稿を搬送する原稿読み取り装置において、原稿読み取りにおけるむらの発生を充分効果的に抑制する。【解決手段】原稿搬送ガイド（１０）の傾斜面に幅狭の部分ガイド面（２０）とこの部分ガイド面の幅方向両側に位置する非ガイド面（２２）を形成し、部分ガイド面は非ガイド面よりも高く且つ幅方向において原稿の片側縁が規制される幅方向所定位置側に偏って位置させる。【選択図】図２
2007251959.tif 000002
【特許請求の範囲】
【請求項１】
コンタクトガラスと、該コンタクトガラスの原稿排出端側に隣接して配設され且つ該コンタクトガラスから遠ざかるに従って漸次高くなる傾斜面を有する原稿搬送ガイドとを含み、原稿はその幅方向寸法に拘らずその片側縁を幅方向所定位置に規制して該コンタクトガラス上を移動される原稿読み取り装置において、
該原稿搬送ガイドの該傾斜面は幅狭の部分ガイド面と該部分ガイド面の幅方向両側に位置する非ガイド面を有し、該部分ガイド面は該非ガイド面よりも高く且つ幅方向において原稿の片側縁が規制される該幅方向所定位置側に偏って位置されている、ことを特徴とする原稿読み取り装置。
【請求項２】
該非ガイド面は幅方向両側に向かって下方に傾斜している、請求項1記載の原稿読み取り装置。
【請求項３】
該部分ガイド面と該非ガイド面との高低差は下流に向かって漸次低減される、請求項1又は２記載の原稿読み取り装置。
【発明の詳細な説明】
【技術分野】
【０００１】
本発明は、複写機、ファクシミリ、プリンタ、スキャナー等に適用される原稿読み取り装置に関する。
【背景技術】
【０００２】
下記特許文献１に開示されている如く、複写機、ファクシミリ、プリンタ、スキャナー等に適用される原稿読み取り装置として、コンタクトガラスとこのコンタクトガラスの原稿排出端に隣接して配設された原稿搬送ガイドとを含む原稿読み取り装置が広く実用に供されている。原稿搬送ガイドは、コンタクトガラスから遠ざかるに従って漸次高くなる傾斜面を有している。コンタクトガラス上を移動されてコンタクトガラスから排出される原稿は原稿搬送ガイドの傾斜面に案内され、下流に向かって漸次上方に移動される。
【特許文献１】特開平９−３７０２３号公報
【０００３】
一方、当業者には周知の如く、上述した形態の原稿読み取り装置には、原稿の幅方向寸法に拘らずその幅方向中心を幅方向所定位置に規制して原稿を搬送する形態の所謂中心規制型のものと、原稿の幅方向寸法に拘らずその片側縁を幅方向所定位置に規制して原稿を搬送する所謂片側縁規制型のものとが実用に供されている。
【発明の開示】
【発明が解決しようとする課題】
【０００４】
本発明者等の経験によれば、上述した形態の従来の原稿読み取り装置には、コンタクトガラスから排出される原稿の前端が原稿搬送ガイドの傾斜面に当接する際に原稿に比較的大きな衝撃が加えられ、これに起因して原稿の読み取りにむらが生成されてしまうという問題があることが判明している。
【０００５】
本発明は上記事実に鑑みてなされたものであり、その主たる技術的課題は、原稿の幅方向寸法に拘らずその片側縁を幅方向所定位置に規制して原稿を搬送する所謂片側縁規制型の原稿読み取り装置において、原稿読み取りにおけるむらの発生を充分効果的に抑制することである。
【課題を解決するための手段】
【０００６】
本発明者は、鋭意検討の結果、原稿搬送ガイドの傾斜面に幅狭の部分ガイド面とこの部分ガイド面の幅方向両側に位置する非ガイド面を形成し、部分ガイド面は非ガイド面よりも高く且つ幅方向において原稿の片側縁が規制される幅方向所定位置側に偏って位置させることによって、上記主たる技術的課題を達成することができることを見出した。
【０００７】
即ち、本発明によれば、上記技術的課題を達成する原稿読み取り装置として、コンタクトガラスと、該コンタクトガラスの原稿排出端側に隣接して配設され且つ該コンタクトガラスから遠ざかるに従って漸次高くなる傾斜面を有する原稿搬送ガイドとを含み、原稿はその幅方向寸法に拘らずその片側縁を幅方向所定位置に規制して該コタクトガラス上を移動される原稿読み取り装置において、
該原稿搬送ガイドの該傾斜面は幅狭の部分ガイド面と該部分ガイド面の幅方向両側に位置する非ガイド面を有し、該部分ガイド面は該非ガイド面よりも高く且つ幅方向において原稿の片側縁が規制される該幅方向所定位置側に偏って位置されている、ことを特徴とする原稿読み取り装置が提供される。
【０００８】
該非ガイド面は幅方向両側に向かって下方に傾斜しているのが好適である。また、該部分ガイド面と該非ガイド面との高低差は下流に向かって漸次低減されるのが好ましい。
【発明の効果】
【０００９】
本発明の原稿読み取り装置においては、コンタクトガラスから排出される原稿の前端は、その幅方向全体ではなくてその幅方向における幅狭の特定部分のみが、原稿搬送ガイドの傾斜面における幅狭な部分ガイド面に当接し、従って原稿の前端が原稿搬送ガイドの傾斜面に当接する際に原稿に加えられる衝撃が充分に抑制され、かくして原稿の読み取りにおけるむらの発生が効果的に抑制される。
【発明を実施するための最良の形態】
【００１０】
以下、添付図面を参照して、本発明に従って構成された原稿読み取り装置の好適実施形態について更に詳述する。
【００１１】
図1を参照して説明すると、コンタクトガラス１は複写機の如き画像形成機の上面の機枠２に取り付けられており、読み取るべき原稿３はコンタクトガラス１の上面を通して搬送される。図示していないが、コンタクトガラス１の下方には、光源、ＣＣＤ素子、光学レンズ等からなる光学系ユニットが配置されており、コンタクトガラス1上を通過する原稿が光照射され、原稿３からの反射光が読み取られる。
【００１２】
原稿３の搬送方向に見て、コンタクトガラス１の上流側上方には、上流側搬送ガイド５が配置され、コンタクトガラス1の上面上には適宜の間隔をおいて上方ガイド７が配置され、原稿台（図示していない）に載置されている原稿が、それ自体は周知の様式によって原稿台から送出され、ガイド5及び7に案内されて搬送され、コンタクトガラス1の上面に接しながらコンタクトガラス1上を通過する。
【００１３】
原稿搬送方向にみて、コンタクトガラス１の下流側即ち原稿排出端側には、コンタクトガラス１に隣接して原稿搬送ガイド１０が配置されている。この原稿搬送ガイド１０は上記機枠２に固定されている。コンタクトガラス1を通過した原稿３は原稿搬送ガイド１０に沿って上方に移動し、原稿排出トレイ（図示していない）に排出される。
【００１４】
図１から明らかなとおり、原稿搬送ガイド１０の片側端即ち上流端上面は、その幅方向全体に渡ってコンタクトガラス１の上面よりも幾分下方に位置されている。原稿搬送ガイド１０の上面は下流に向かって上方に傾斜した傾斜面であり、その下流端はコンタクトガラス1の上面よりも相当高くなっている。原稿搬送ガイド１０の上流端上面はコンタクトガラス1の上面と面一にすることもできるが、取り付け誤差等によってコンタクトガラス１の上面よりも高くなると原稿の前端が原稿搬送ガイド１０の上流端面の当接して原稿の搬送が阻害されてしまう故に、原稿搬送ガイド１０の上流端上面はコンタクトガラス1の上面よりも幾分下方に設定するのが好都合である。
【００１５】
コンタクトガラス１の上面を通過した原稿３の前端は原稿搬送ガイド１０の上面の搬送方向中途部分に当接（図１において当接点をＰで示している）し、ここから上方に案内される。
【００１６】
図1と共に図2を参照して説明を続けると、原稿搬送ガイド１０の上面即ち傾斜面には幅狭の部分ガイド面２０とその幅方向両側に位置する非ガイド面２２が形成されていることが重要である。原稿読み取り装置は所謂片側規制型のもの、即ち原稿３はその幅方向寸法に拘らずその片側縁を幅方向所定位置に規制して搬送される型のものであり、それ故に幅狭の部分ガイド面２０は幅方向中央ではなくて、原稿３の片側縁が規制される幅方向所定位置側、図２において左側、に偏って位置されている。部分ガイド面２０の幅方向両側に配置されている非ガイド面２２は、図示の実施形態においては、幅方向両側に向かって下方に傾斜している。所望ならば、非ガイド面２２と部分ガイド面２０との高低差が下流に向かって漸次減少し、下流端部においては部分ガイド面２０と非ガイド面２２とが面一になるようになすこともできる。
【００１７】
本発明に従って構成された原稿読み取り装置においては、コンタクトガラス1の上面を通過した原稿３の前端は、その幅方向全体ではなくてその幅方向における幅狭な一部のみが、原稿搬送ガイド１０の傾斜面における部分ガイド面２０に当接し、従ってこの際に原稿3に加えられる衝撃は充分に抑制され、それ故に原稿3の読み取りにむらが発生することが効果的に抑制される。
【図面の簡単な説明】
【００１８】
【図１】本発明に従って構成された原稿読み取り装置の好適実施形態の主要構成要素を示す簡略断面図。
【図２】図１の原稿読み取り装置における原稿搬送ガイドの傾斜面における部分ガイド面及び非ガイド面を説明するための簡略図。
【符号の説明】
【００１９】
１：コンタクトガラス
３：原稿
１０：原稿搬送ガイド
２０：部分ガイド面
２２：非ガイド面
【図１】
2007251959.tif 000003
【図２】
2007251959.tif 000004